(57)【要約】      （修正有）【課題】照明エリア内の検知エリアが各受光素子に対して重なりにくく区分けされるとともに、各受光素子の検知エリアが容易に形成されるセンサ装置およびこのセンサ装置を用いた照明制御システムを提供する。【解決手段】センサ装置３は、基板の一面側に回転対称に設けられた複数の受光素子２２を有する受光体と、受光素子２２に対応する複数の受光窓２６を有し、複数の受光窓２６は、回転対称に設けられているとともに、受光素子２２が各受光窓２６の中央２６ｃおよび回転対称の中心２４ｃを通る仮想線３０上であって各受光窓２６の中央２６ｃよりも外側に位置するように設けられており、受光体と隙間を有して対向するように配置された不透光性のカバー１６と、を具備している。【選択図】図４
2017032333.tif 000002
【特許請求の範囲】
【請求項１】
基板の一面側に回転対称に設けられた複数の受光素子を有する受光体と；
前記受光素子に対応する複数の受光窓を有し、この複数の受光窓は、回転対称に設けられているとともに、前記受光素子が各受光窓の中央および前記回転対称の中心を通る仮想線上であって各受光窓の中央よりも外側に位置するように設けられており、前記受光体と隙間を有して対向するように配置された不透光性のカバーと；
を具備していることを特徴とするセンサ装置。
【請求項２】
前記受光窓は、角を有する形状に形成され、前記角が前記仮想線上であって前記受光窓の中央よりも外側となるように前記カバーに設けられていることを特徴とする請求項１記載のセンサ装置。
【請求項３】
特定した前記受光素子の受光結果を無効にする設定手段を具備していることを特徴する請求項１または２記載のセンサ装置。
【請求項４】
照明器具と；
この照明器具によって照明される照明エリアの照度を検出する請求項１ないし３いずれか一記載のセンサ装置と；
このセンサ装置により検出された照度が目標照度となるように照明器具の調光レベルを制御する照明制御手段と；
を具備していることを特徴とする照明制御システム。
【発明の詳細な説明】
【技術分野】
【０００１】
本発明の実施形態は、照明エリアの照度を検出するセンサ装置およびこのセンサ装置を用いて照明エリアの照明制御を行う照明制御システムに関する。
【背景技術】
【０００２】
事務所などにおいて、外光に応じて、照明エリア毎に照明器具を調光させ、被照射面を一定の照度に制御することが行われている。被照射面の照度は、例えば天井面に配設されたセンサ装置の受光素子（照度センサ）により検出されている。この受光素子は、被照射面側から反射された反射光を受光し、その受光量に応じた電流を出力している。そして、受光素子から出力された電流量に応じて、被照射面の照度が一定となるように制御されている。
【０００３】
外光は、太陽光などの自然光が主体となっている。そして、照明エリアにおける外光による照度は、一般的に、窓側が高く、窓側から奥側に向かうにつれて漸減し、奥側が低くなっている。受光素子は、窓側のエリアから奥側のエリアに亘って受光した反射光の光量を累積し、この累積量に応じた電流を出力している。この電流に応じて照明器具の出力が一定制御されているので、被照射面は、窓側のエリアから奥側のエリアに向かうにつれて照度が低下している。すなわち、被照射面は、外光による照度むらが発生しており、外光が強くなるほど照度むらが大きくなっている。
【０００４】
被照射面は、外光に限らず、一部のエリアからの反射光が強く受光素子に入射していると、照度むらが発生し、照明エリアを一定の照度で照明できなくなる。このため、照明エリアを複数の検知エリアに区分し、各検知エリアから反射される反射光をそれぞれ受光する複数の受光素子を備えるセンサ装置が提案されている。このセンサ装置は、複数の受光素子間を仕切る遮蔽板が設けられている（例えば特許文献１，２参照。）。前者のセンサ装置は、例えば時間帯に応じて、複数の受光素子が検知した最大値、最小値または平均値のいずれかを出力し、後者のセンサ装置は、最小値を出力するように構成されている。
【先行技術文献】
【特許文献】
【０００５】
【特許文献１】特許第３６９２６６５号公報（第６〜８頁、第１１〜１４図）
【特許文献２】特開２００２−４８６４３号公報（第６〜７頁、第３〜５図）
【発明の概要】
【発明が解決しようとする課題】
【０００６】
受光素子間を遮蔽板で仕切っているセンサ装置は、遮蔽板が大型に形成されていても、各受光素子の検知エリアが重複するものであり、照明エリア内の検知エリアを精度よく区分けできないという欠点を有する。すなわち、各受光素子は、遮蔽板の仕切られた各開口の中心部上に位置し、各受光素子の検知エリアは、各受光素子から遮蔽板の各開口を床面側に投影した広がり空間に設定されるので、隣接する受光素子に対する広がり空間が互いに重なり合うようになっている。照明エリア内の検出エリアの中心部は、各受光素子の検知エリアが重なり合っている。
【０００７】
本実施形態は、照明エリア内の検知エリアが各受光素子に対して重なりにくく区分けされるとともに、各受光素子の検知エリアが容易に形成されるセンサ装置およびこのセンサ装置を用いた照明制御システムを提供することを目的とする。
【課題を解決するための手段】
【０００８】
本実施形態のセンサ装置は、受光体およびカバーを有して構成される。受光体は、複数の受光素子を有してなる。複数の受光素子は、基板の一面側に回転対称に設けられている。カバーは、不透光性であり、受光素子に対応して設けられた複数の受光窓を有してなり、受光体と隙間を有して対向するように配置されている。
【０００９】
複数の受光窓は、カバーに回転対称に設けられている。また、複数の受光窓は、受光素子が各受光窓の中央および複数の受光窓に対する回転対称の中心を通る仮想線上であって各受光窓の中央よりも外側に位置するように設けられている。
【発明の効果】
【００１０】
本実施形態のセンサ装置によれば、複数の受光素子は、基板の一面側に回転対称に設けられているとともに、各受光窓の中央および複数の受光窓に対する回転対称の中心を通る仮想線上であって各受光窓の中央よりも外側に位置しているので、各受光素子から各受光窓を照明エリアに投影したエリアが各受光素子の検出エリアに設定されるときに、各受光素子の検出エリアが照明エリアの中心部において互いに重なりにくくできることが期待できる。
【図面の簡単な説明】
【００１１】
【図１】本発明の実施形態を示す照明制御システムの概略構成図である。
【図２】同上、センサ装置を示し、（ａ）は概略側面図、（ｂ）は概略下面図である。
【図３】同上、センサ装置のカバーを取り外した状態の概略斜視図である。
【図４】同上、センサ装置の一部拡大概略下面図である。
【図５】同上、受光素子の検出範囲を示し、（ａ）は概略投影図、（ｂ）は検出エリアの形成図である。
【図６】同上、照明制御装置のブロック図である。
【図７】同上、主制御装置のブロック図である。
【図８】同上、他の受光窓を示す形状図である。
【図９】同上、他のカバーを示し、（ａ）は概略下面図、（ｂ）は検出エリアの形成図である。
【発明を実施するための形態】
【００１２】
以下、本発明の一実施の形態について、図面を参照して説明する。
【００１３】
本実施形態の照明制御システム１は、図１に示すように、照明器具２、センサ装置３、照明制御手段としての照明制御装置４および主制御装置５を有して構成されている。本実施形態では、室内６は、複数の照明エリア７に区分され、照明エリア７毎に複数の照明器具２および１個のセンサ装置３がそれぞれ天井面８に取り付けられている。複数の照明器具２により照明される床面９側の照明範囲が照明エリア７となっており、照明エリア７よりも幾分狭い領域がセンサ装置３の検出エリア（検知エリア）１０となっている。なお、図１には、１つの照明エリア７が記載されている。
【００１４】
検出エリア１０は、照明エリア７が照明器具２のみにより照明されているときの所定の照度以上を有する照明エリア７内に設定されている。センサ装置３は、照明エリア７および検出エリア１０の中央部（中心部）上の天井面８に取り付けられている。そして、室内６には、例えば窓１１から太陽光などの外光が入射される。照明エリア７の照度（明るさ）は、外光の強さに応じて変化する。特に、窓１１側の照明エリア７の照度は、外光によって大きく変化する。
【００１５】
照明器具２は、点灯装置１２およびＬＥＤモジュール１３を配設している。点灯装置１２は、不図示の交流電源に接続されており、交流電源を直流電源に変換し、調光レベルに応じた電流をＬＥＤモジュール１３に供給するように形成されている。ＬＥＤモジュール１３は、光源として不図示のＬＥＤが多数設けられている。ＬＥＤは、例えば白色光を放射するものであり、点灯装置１２から供給される電流の有無に応じて点灯（発光）または消灯し、供給される電流量に応じて調光点灯し、放射する光量が増減する。この光量の増減に応じて、照明エリア７内の照度が増減する。そして、各照明エリア７の照度は、各照明エリア７に配設されたセンサ装置３によって検出され、各照明エリア７の照明器具２は、主制御装置５の照明制御により点消灯または調光される。
【００１６】
センサ装置３は、照明エリア７毎に、照明エリア７の中心部上の天井面８に配設されている。本実施形態のセンサ装置３は、図２および図３に示すように、センサ装置本体１４、受光体１５、カバー１６および取付ばね１７，１７を有して形成されている。
【００１７】
センサ装置本体１４は、例えばＡＢＳ樹脂からなり、下端側に円形状のフランジ部１８を有する箱体に形成され、上端側が閉塞されている。フランジ部１８には、図３に示すように、センサ装置本体１４の内部空間に連通する小判形の開口１９が形成されている。センサ装置本体１４の両側面１４ａ，１４ａには、レール型の取付部材２０，２０が取り付けられている。この取付部材２０，２０には、図２に示すように、取付ばね１７，１７が挿入されて取り付けられている。センサ装置３は、センサ装置本体１４が天井に設けられた貫通孔に挿入された状態で、取付ばね１７，１７およびフランジ部１８が天井を挟み込むことにより、フランジ部１８の上面１８ａが天井面８に密接して天井に固定されている。
【００１８】
受光体１５は、図３に示すように、基板２１および複数の受光素子２２を有して形成されている。基板２１は、電気絶縁性を有する樹脂板からなり、フランジ部１８の開口１９とほぼ同一の形状および大きさに形成されている。そして、基板２１の一面２１ａ側に複数の受光素子２２が実装されている。複数の受光素子２２は、基板２１の中心２１ｃに対して回転対称に設けられている。本実施形態では、８個の受光素子２２が用いられている。８個の受光素子２２は、基板２１の中心２１ｃを中心とする円周上に中心に対して４５°毎に設けられている。
【００１９】
受光素子２２は、その受光面が球面状に形成されている。そして、受光素子２２は、受光面が受光した可視光の受光量に応じた電流を出力する既知の構成により形成されている。なお、受光面は、直方体の形状であってもよく、その形状が特定されるものではない。そして、受光体１５は、基板２１がフランジ部１８の開口１９からセンサ装置本体１４の内部空間に所定長挿入され、内部空間を塞ぐとともに受光素子２２が開口１９に面するように設けられている。
【００２０】
カバー１６は、不透光性の例えばＡＢＳ樹脂からなり、カバー本体２３および受光板２４に形成されている。カバー本体２３は、中心部に大円形の貫通孔２５を有する略皿形に形成されている。受光板２４は、貫通孔２５とほぼ同径であって両側が弓形に切断された円盤形に形成されている。そして、受光板２４は、貫通孔２５に嵌め込むようにしてカバー本体２３に取り付けられている。カバー１６は、図２（ａ）に示すように、カバー本体２３の開口端内側がフランジ部１８を嵌め込むようにしてフランジ部１８に取り付けられている。このとき、受光板２４は、受光体１５と所定の隙間を有して対向している。
【００２１】
そして、受光板２４には、図２（ｂ）に示すように、複数の受光窓２６が形成されている。この受光窓２６は、受光素子２２に対応して設けられており、本実施形態では、８個となっている。すなわち、複数の受光窓２６は、図１において示す検出エリア１０からの反射光が入射され、当該入射光が受光素子２２に受光されるように設けられている。そして、受光窓２６は、本実施形態では、正四角形に形成されている。受光窓２６は、図３に示すように、受光板２４の表面２４ａ側が裏面側よりも大きく形成された正四角形の開口２７を有している。
【００２２】
また、複数の受光窓２６は、図４に示すように、受光板２４の中心２４ｃ（カバー１６の中心）に対して回転対称となるように設けられている。すなわち、本実施形態では、８個の各受光窓２６は、受光板２４の中心２４ｃを中心とする円周上に中心２４ｃに対して４５°毎に形成されているとともに、受光板２４が４５°毎に回転したときに、回転前の受光窓２６と回転後の受光窓２６とが重なり合うように形成されている。
【００２３】
また、複数の受光窓２６は、各受光窓２６の中央２６ｃおよび受光板２４の中心２４ｃ（複数の受光窓２６の回転対称の中心）を通る仮想線３０上に頂点２６ｄ，２６ｅが位置するように設けられているとともに、頂点２６ｄが中央２６ｃよりも受光板２４の外側（中心２４ｃと反対側）に位置するように設けられている。仮想線３０は、８個の受光窓２６に対して４本が形成される。
【００２４】
また、複数の受光窓２６は、受光体１５の各受光素子２２が仮想線３０上であって各受光窓２６の中央２６ｃよりも受光板２４の外側に位置するように設けられている。本実施形態では、受光素子２２の受光面の一部が受光窓２６の開口２７に露出し、受光面の残部が不透光性の受光板２４により遮蔽されるように設けられている。ここで、受光窓２６の中央２６ｃとは、正四角形の２つの対角線の交点であり、受光窓２６の中心を示している。また、受光窓２６の頂点は、正四角形の２辺が交わった角（交点）である。頂点２６ｄ，２６ｅは、４つの頂点のうちの中央２６ｃを挟む仮想線３０上の２つを示している。
【００２５】
このように、カバー１６の受光板２４に設けられた複数の受光窓２６は、受光板２４の中心２４ｃに対して回転対称に設けられているとともに、受光体１５の各受光素子２２が仮想線３０上であって各受光窓２６の中央２６ｃよりも外側に位置するように設けられ、さらに、正四角形の頂点（角）２６ｄが仮想線３０上であって各受光窓２６の中央２６ｃよりも外側となるように設けられている。そして、カバー１６は、センサ装置本体１４に取り付けられたときに、受光板２４が受光体１５に所定の隙間を有して対向するように配置されている。このとき、受光体１５の基板２１の中心２１ｃと、カバー１６の受光板２４の中心２４ｃとがセンサ装置本体１４の中心軸上となっている。
【００２６】
なお、受光板２４は、受光窓２６と受光素子２２との間に、受光素子２２に受光される反射光を調整する調整部材を設けてもよい。この調整部材は、透光性を有してなり、受光窓２６に入射する反射光を減衰して受光素子２２に受光させる減衰部材や反射光を拡散して受光素子２２の受光面に略均一に入射させる拡散部材などとすることができる。
【００２７】
センサ装置３は、図１において説明したように、照明エリア７および検出エリア１０の中央部上の天井面８に取り付けられている。そして、検出エリア１０からの反射光がカバー１６の受光板２４に入射され、受光窓２６を通過した反射光の一部が受光素子２２に受光して検出される。そして、本実施形態では、各受光素子２２は、図５（ｂ）に示すように、検出エリア１０内を区分けした各検出領域３１ａ〜３１ｄ，３２ａ〜３２ｄからの反射光をそれぞれ受光するように設定されている。
【００２８】
受光素子２２の検出領域は、図５（ａ）に示すように、受光素子２２から受光窓２６を床面９側に投影した領域に設定される。受光窓２６の頂点２６ｄ側は、床面９側において、検出エリア１０の中心部１０ｃに投影されている。すなわち、受光素子２２の検出領域は、受光素子２２の受光窓２６を介する視野角Ｋ１の広がり空間に設定される。受光素子２２は、受光窓２６の中央２６ｃよりも外側に変位して設けられているので、受光素子２２から見て床面９に対して内側へ斜め方向に広がる視野が形成され、これにより、受光素子２２に対する検出領域が形成されている。
【００２９】
そして、受光素子２２の検出領域は、受光窓２６の大きさ、受光体１５の基板２１とカバー１６の受光板２４との隙間、受光板２４と床面９との距離（センサ装置３の床面９に対する高さ）に応じて設定され、本実施形態では、それらが適宜に設定されて、検出領域が所定の大きさに設定されている。また、検出領域の形状は、受光窓２６の形状により設定される。本実施形態では、受光窓２６は、正四角形に形成されているので、図５（ｂ）に示すように、正四角形の検出領域３１ａ〜３１ｄ，３２ａ〜３２ｄが形成されている。
【００３０】
また、本実施形態では、仮想線３０上に受光素子２２および受光窓２６の頂点（角）２６ｄがそれぞれ位置するので、検出エリア１０の中心部１０ｃ周りに各受光素子２２の検出領域３１ａ〜３１ｄ，３２ａ〜３２ｄが形成されている。さらに、本実施形態では、９０°回転間隔の４個の受光素子２２で検出エリア１０をそれぞれ４つに区分けしている。すなわち、９０°回転間隔の４個の受光素子２２に対して、検出エリア１０の中心部１０ｃ周りに４つの正四角形の検出領域３１ａ〜３１ｄが形成され、前記４個の受光素子２２に対して４５°の回転間隔を有する残りの４個の受光素子２２に対して、検出エリア１０の中心部１０ｃ周りに４つの正四角形の検出領域３２ａ〜３２ｄが形成されている。検出領域３２ａ〜３２ｄは、検出領域３１ａ〜３１ｄに対して、検出エリア１０の中心部１０ｃ周りに４５°回転した領域となっている。そして、検出領域３１ａ〜３１ｄおよび検出領域３２ａ〜３２ｄは、それぞれ検出エリア１０の大部分を占めている。
【００３１】
図２において、センサ装置３は、センサ装置本体１４の内部に図示しない照明制御装置４が収納され、背面側に図示しない端子群が配設されている。端子群は、照明制御装置４と、商用交流電源Ｖｓおよび主制御装置５を接続する入出力端子などにより形成されている。
【００３２】
照明制御装置４は、図６に示すように、照度入力部３３、記憶部３４、伝送部３５、電源部３６、設定部３７および制御部３８を有して構成されている。照度入力部３３は、各受光素子２２に接続され、各受光素子２２の受光量をそれぞれの検出信号に変換して制御部３８に送出するように形成されている。記憶部３４は、自身のセンサ装置３や照明器具２のアドレスなどの諸データを記憶している。
【００３３】
伝送部３５は、主制御装置５に信号線３９で接続され、制御信号を送信するように構成されている。また、電源部２３は、商用交流電源Ｖｓに接続され、交流電圧を直流電圧に変換すると共に、所定の電圧値に調整して、制御部３８やその他の回路部に駆動電源を供給するように形成されている。
【００３４】
設定部３７は、選択スイッチ４０に接続されている。選択スイッチ４０は、例えばディップスイッチであり、センサ装置本体１４の外面側に設けられている。また、選択スイッチ４０は、受光素子２２に対応付けられている。設定部３７は、選択スイッチ４０のオンオフの状態を制御部３８に出力している。
【００３５】
制御部３８は、ＣＰＵおよびプログラムが格納されたＲＯＭなどを具備している。そして、制御部３８は、照度入力部３３からの検出信号に基づいて検出エリア１０の照度を演算し、演算した照度を制御信号に生成して伝送部３５から信号線３９に出力するように形成されている。ここで、制御部３８は、例えば、検出エリア１０の照度を各受光素子２２が受光した受光量の平均値で算出する。すなわち、各受光素子２２が受光した受光量を合計し、その合計量を合計した受光素子２２の数量で除算する。
【００３６】
また、制御部３８は、選択スイッチ４０から出力された選択スイッチ４０のオンオフ状態を判断し、受光素子２２と選択スイッチ４０との対応付けに基づいて、例えば選択スイッチ４０がオフ状態である受光素子２２を特定する。そして、特定した受光素子２２に対する検出信号を除外して検出エリア１０の照度を演算するように形成されている。設定部３７および制御部３８は、特定した受光素子２２の受光結果を無効にする設定手段４１を構成している。
【００３７】
図１において、主制御装置５は、照明システム全体を統括管理するものであり、信号線３９を介してそれぞれの照明エリア７に配設されているセンサ装置３および照明器具２に接続されている。主制御装置５は、図示しない表示部や操作部などが設けられている表面が壁面４２に露出するようにして壁の内部に設置されている。
【００３８】
そして、主制御装置５は、図７に示すように、主制御部４３、電源部４４、不揮発性の記憶部４５、伝送インターフェース（Ｉ／Ｆ）部４６、外部入力インターフェース（Ｉ／Ｆ）部４７、設定操作部４８および表示部４９などを有して構成されている。
【００３９】
電源部４４は、商用交流電源Ｖｓから入力した交流電圧を直流電圧に変換すると共に所定の電圧値に調整して、主制御部４３などに電源を供給して動作させる。不揮発性の記憶部４５は、センサ装置３および照明器具２のアドレス、目標照度および照明器具２の調光レベルなどの各種データが記憶されている。
【００４０】
伝送インターフェース（Ｉ／Ｆ）部４６は、信号線３９に接続され、センサ装置３から送信された制御信号を受信するとともに演算した調光信号などを送信するように形成されている。外部入力インターフェース（Ｉ／Ｆ）部４７は、例えば主制御装置４の表面に設けられた外部スイッチ（図示しない。）に接続されている。この外部スイッチの操作により、照明器具２の点灯または消灯が行えるものである。設定操作部４８は、アドレスの設定や目標照度などを入力するものである。表示部４９は、例えば照明エリア７の照明器具２の点灯状態を表示するように形成されている。
【００４１】
主制御部４３は、ＣＰＵおよびプログラムが格納されたＲＯＭなどを具備している。主制御部４３は、照明制御装置４から送信された制御信号に基づいてそれぞれの照明エリア７に配設されている照明器具２の調光レベルを演算し、この調光レベルに応じた調光信号例えばＰＷＭ調光信号を演算生成して、この調光信号を伝送Ｉ／Ｆ部４６から伝送線３９を介して照明器具２の点灯装置１２に送信するように形成されている。すなわち、センサ装置３が検出する検出エリア１０内の照度が目標照度となるように照明器具２を調光点灯させるように形成されている。
【００４２】
次に、本実施形態の作用について説明する。
【００４３】
照明制御システム１において、センサ装置３の８個の受光素子２２は、検出エリア１０内の区分けされた検出領域３１ａ〜３１ｄ、３２ａ〜３２ｄから反射された反射光をそれぞれ受光する。センサ装置３内に設けられた照明制御装置４の制御部３８は、各受光素子２２が検出した受光量を合計し、その受光量を受光素子２２の数量（８個）で除算して平均値を演算し、センサ装置３が検出した検出エリア１０内の照度とする。この検出照度は、制御信号により信号線３９を介して主制御装置５に送信される。
【００４４】
主制御装置５の主制御部４３は、センサ装置３が検出した照度と目標照度とを比較し、その差分に応じて照明器具２の調光レベルを演算し、この調光レベルに応じた調光信号を演算生成する。調光信号は、信号線３９を介して照明器具２の点灯装置１２に送信される。点灯装置１２は、調光信号に応じてＬＥＤモジュール１３のＬＥＤを点灯させる。ＬＥＤモジュール１３から調光信号に応じた白色光が放射される。これにより、照明エリア７内は、目標照度で照明される。
【００４５】
図１において、センサ装置３は、窓１１側の照明エリア７内の照度を検出し、検出エリア１０に外光（太陽光）が入射するものとする。そして、図５（ｂ）において、例えば検出エリア１０の半分である検出領域３１ａ，３１ｄ，３２ｄおよび検出領域３２ａ，３２ｃにそれぞれ外光が強く入射するものとする。この場合には、センサ装置３の設置時に、検出領域３１ａ，３１ｄおよび検出領域３２ａ，３２ｃ，３２ｄからの反射光をそれぞれ受光する各受光素子２２に対応する選択スイッチ４０をオフする。
【００４６】
照明制御装置４の制御部３８は、検出領域３１ａ，３１ｄおよび検出領域３２ａ，３２ｃ，３２ｄからの反射光をそれぞれ受光する受光素子２２の受光量を無効とし、検出領域３１ｂ，３１ｃおよび検出領域３２ｂからの反射光を受光した受光素子２２の受光量を合計し、その受光量を合計した受光素子２２の数量（３個）で除算して平均値を演算して、センサ装置３が検出した検出エリア１０内の照度とする。この検出照度に基づいて、照明エリア７内の照度が目標照度となるように制御される。検出照度は、外光分が演算されなくなるので、実照度との差分が大きくなり、これにより、照明器具２が幾分高い調光レベルで点灯される。これにより、照明エリア内７の照度むらが抑制される。
【００４７】
そして、本実施形態では、センサ装置３は、８個の受光素子２２を回転対称に備えて、検出エリア１０を検出領域３１ａ〜３１ｄと、検出領域３２ａ〜３２ｄとに区分けしているので、照明レイアウトや検出エリア１０内への外光の入射領域に左右されることなく、天井面８に任意にあるいは所望に設置可能となっている。すなわち、選択スイッチ４０により、検出エリア１０内の外光が強く入射している領域を除外できる。これにより、センサ装置３は、天井面８への設置の汎用性が向上している。
【００４８】
そして、センサ装置３において、複数の受光窓２６は、回転対称に設けられているとともに、受光素子２２が各受光窓２６の中央２６ｃおよび回転対称の中心２４ｃを通る仮想線３０上であって各受光窓２６の中央２６ｃよりも外側に位置するように設けられているので、各受光素子２２が検出する検出領域を検出エリア１０内に互いに重ならないようにして容易に形成可能となっている。また、受光窓２６の頂点（角）２６ｄが仮想線３０上であって、受光窓２６の中央２６ｃよりも外側となるように設けられているので、検出エリア１０の中心部１０ｃ周りに検出領域３１ａ〜３１ｄおよび検出領域３２ａ〜３２ｄが互いに重ならないようにして容易に形成されている。
【００４９】
本実施形態のセンサ装置３によれば、複数の受光素子２２は、基板２１の一面２１ａ側に回転対称に設けられているとともに、各受光窓２６の中央２６ｃおよび回転対称の中心２４ｃを通る仮想線３０上であって各受光窓２６の中央２６ｃよりも外側に位置しているので、各受光素子２２に対する検出領域３１ａ〜３１ｄ，３２ａ〜３２ｄを検出エリア１０に互いに重なりにくくして容易に形成できるという効果を有する。
【００５０】
また、センサ装置３は、各受光窓２６の頂点（角）２６ｄが仮想線３０上であって受光窓２６の中央２６ｃよりも外側となるようにカバー１６の受光板２４に設けられているので、各受光窓２６の検出領域３１ａ〜３１ｄ，３２ａ〜３２ｄを検出エリア１０の中心部１０ｃ周りに互いに重なりにくくして容易に形成できるという効果を有する。
【００５１】
また、センサ装置３は、特定した受光素子２２の受光結果を無効にする設定手段４１を具備しているので、区分けした検出領域３１ａ〜３１ｄ，３２ａ〜３２ｄに外光が不所望に入力する領域を除外して検出エリア１０の照度を検出することができ、これにより、検出エリア１０の照度検出における外光の影響を抑制することができるという効果を有する。
【００５２】
また、本実施形態の照明制御システム１は、外光が不所望に入射する検出領域の検出照度を無効に設定可能な照明制御装置４を具備しているので、検出エリア１０に強い外光の入射があっても、照明エリア７内の照度むらを抑制して照明エリア７を目標照度で照明できるという効果を有する。
【００５３】
なお、本実施形態において、受光窓２６は、正四角形に形成したが、図８に示すように、角２２ｆを有する略円形の受光窓２２Ａに形成されてもよい。受光窓２２Ａは、前記角２２ｆが仮想線３０上であって受光窓２２Ａの中央よりも外側となるように受光板２４に設けられる。また、図９（ａ）に示すように、二等辺三角形の受光窓５０に形成されてもよい。受光窓５０は、受光窓２６と同様に、表面２４ａ側が裏面側よりも大きい開口５１を有している。受光窓５０および受光素子２２は、それぞれ３個からなっている。そして、受光板２４Ａは、受光窓５０に受光素子２２の位置が設定されるように設けられている。すなわち、受光素子２２は、不図示の仮想線３０上であって各受光窓５０の中央よりも外側に位置するように設けられ、受光窓５０は、二等辺三角形の頂角側の頂点（角）が不図示の仮想線３０上であって二等辺三角形の中央よりも外側となるように受光板２４Ａに設けられている。これにより、検出エリア１０は、図９（ｂ）に示すように、中心部１０ｃ周りに３つの検出領域５４ａ〜５４ｃで区分けされている。
【００５４】
このように、本実施形態において、受光窓は、２つの直線または曲線が交差した角を有する形状に形成されていればよい。また、複数の受光窓は、検出エリア１０において、それらによって形成される検出領域が幾分重複し、あるいは検出領域が隙間を空ける形状に形成されてもよい。また、複数の受光窓は、検出エリア１０において、それらによって形成される検出領域が幾分重複し、あるいは検出領域が隙間を空けるような位置関係で受光板２４に設けられてもよい。そして、受光窓の中央は、受光窓の大きさを二等分する複数の直線の交点とすることができる。あるいは、受光窓が一定の厚さの板であると仮定したときの板での重心の位置とすることができる。
【００５５】
また、本実施形態において、設定手段４１は、選択スイッチ４０に接続する設定部３７および制御部３８により形成したが、これに限らず、センサ装置３の設置時に、ＲＯＭに記憶されるプログラムに設けてもよい。すなわち、除外する検出領域からの反射光を受光する受光素子２２からの受光量を無効とするようにプログラムを書き換えてもよい。
【００５６】
また、本発明の上述した実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００５７】
１…照明制御システム、２…照明器具、  ３…センサ装置、  ４…照明制御手段としての照明制御装置、  ５…照明制御手段としての主制御装置、  １５…受光体、  ２１…基板、  ２２…受光素子、  １６…カバー、  ２６…受光窓、  ３０…仮想線、  ４１…設定手段
【図１】
2017032333.tif 000003
【図２】
2017032333.tif 000004
【図３】
2017032333.tif 000005
【図４】
2017032333.tif 000006
【図５】
2017032333.tif 000007
【図６】
2017032333.tif 000008
【図７】
2017032333.tif 000009
【図８】
2017032333.tif 000010
【図９】
2017032333.tif 000011